(57)【要約】【課題】ユーザ毎に特化したオリジナル地図データの作成及び提供を可能にする地図情報サービスシステムを提供する。【解決手段】地図情報提供サーバ１０は、ユーザの要求に応答し、地図データから一部を切り出して携帯電話機２１に送信する。ユーザは、位置情報に関連付けて付加情報を地図情報提供サーバ１０に送信する。地図情報提供サーバ１０は、位置情報に関連付けて付加情報を登録し、携帯電話機２１から要求があると、付加情報に添付されたパーミッション情報に基づいてユーザによるアクセス可否を判断し、その判断結果に基づいて付加情報を含むオリジナル地図情報を携帯電話機２１に送信する。【選択図】図１
2007158815.tif 000002
【特許請求の範囲】
【請求項１】
通信回線を介して端末装置に接続される地図情報サーバを備え、該地図情報サーバを介して地図情報を提供する地図情報サービスシステムであって、前記地図情報提供サーバは、
地図情報の登録を要求する端末装置から位置を指定した地図データの送信要求を受信すると、地図データを記憶するデータベースから、前記指定された位置に対応する所定範囲の地図データ部分を取り出して、当該端末装置に送信する地図データ切り出し部と、
前記地図情報の登録を要求する端末装置から、前記切り出された地図データ部分内の位置情報に関連付けられた付加情報データを受信すると、該受信した付加情報データを前記位置情報に関連付けて、前記データベースに登録する付加情報データ登録部と、
地図情報の提供を要求する端末装置から、前記位置情報を指定した地図情報の送信要求を受信すると、前記データベースを検索し、前記位置情報に関連付けて登録された付加情報データを取り出して、当該端末装置に送信する付加情報データ検索部とを備えることを特徴とする地図情報サービスシステム。
【請求項２】
前記データベースに登録された付加情報データには、アクセスできるグループを指定するアクセス制限情報が含まれており、前記地図情報提供サーバは、端末装置から送信されたユーザの属性情報に基づいて、当該ユーザによる前記付加情報データへのアクセスの可否を判定する、請求項１に記載の地図情報サービスシステム。
【請求項３】
前記ユーザの属性情報は、特定のグループＩＤを含む、請求項２に記載の地図情報サービスシステム。
【請求項４】
前記端末装置は、測位機能を有し、該測位機能により計測された位置情報に基づいて、要求する地図データの位置を指定する、請求項１〜３の何れか一に記載の地図情報サービスシステム。
【請求項５】
通信回線を介して端末装置に接続される地図情報サーバを備え、該地図情報提供サーバを介して地図情報を提供する地図情報提供方法であって、
前記地図情報提供サーバが、地図情報の登録を要求する端末装置から位置を指定した地図データの送信要求を受信し、地図データを記憶するデータベースから、前記指定された位置に対応する所定範囲の地図データ部分を取り出して、当該端末装置に送信するステップと、
前記地図情報提供サーバが、前記地図情報の登録を要求する端末装置から、前記切り出された地図データ部分内の位置情報に関連付けられた付加情報データを受信すると、該受信した付加情報データを前記位置情報に関連付けて、前記データベースに登録するステップと、
前記地図情報提供サーバが、地図情報の提供を要求する端末装置から、前記位置情報を指定した地図情報の送信要求を受信すると、前記データベースを検索し、前記指定された位置情報に関連付けて登録された付加情報データを取り出して、当該端末装置に送信するステップとを有することを特徴とする地図情報提供方法。
【請求項６】
前記データベースに登録された付加情報データには、アクセスできるグループを指定するアクセス制限情報が含まれており、前記地図情報提供サーバが、端末装置から送信されたユーザの属性情報に基づいて、当該ユーザによる前記付加情報へのアクセスの可否を判定するステップを更に有する、請求項５に記載の地図情報提供方法。
【請求項７】
前記ユーザの属性情報は、特定のグループＩＤを含む、請求項６に記載の地図情報提供方法。
【請求項８】
通信回線を介して端末装置に接続されて地図情報を提供する地図情報提供サーバを備える地図情報サービスシステムのためのプログラムであって、前記地図情報提供サーバに、
地図情報の登録を要求する端末装置から位置を指定した地図データの送信要求を受信し、地図データを記憶するデータベースから、前記指定された位置に対応する所定範囲の地図データ部分を取り出して、当該端末装置に送信するステップと、
前記地図情報の登録を要求する端末装置から、前記切り出された地図データ部分内の位置情報に関連付けられた付加情報データを受信すると、該受信した付加情報データを前記位置情報に関連付けて、前記データベースに登録するステップと、
地図情報の提供を要求する端末装置から、前記位置情報を指定した地図情報の送信要求を受信すると、前記データベースを検索し、前記指定された位置情報に関連付けて登録された付加情報データを取り出して、当該端末装置に送信するステップとを実行させることを特徴とするプログラム。
【発明の詳細な説明】
【技術分野】
【０００１】
本発明は、地図情報サービスシステム、地図情報提供方法及びプログラムに関し、更に詳しくは、携帯電話機などの端末装置に地図情報を提供する地図情報サービスシステム、その地図情報サービスシステムで地図情報を提供する地図情報提供方法、及び、そのためのプログラムに関する。
【背景技術】
【０００２】
市販されている多くの地図は、その縮尺や、掲載される施設や道路、交通手段、記載される記号などが、各地図毎にそれぞれ設定されており、想定されるユーザに使いやすいものとなるように作成されている。このため、ユーザは、目的や用途によって各地図を使い分け、或いは、これら地図を組み合わせて利用することによって、特定の目的や用途に地図を利用している。また、地図には、通常の市販地図の他に、情報誌などが提供するような、タウン情報などを記載した付加情報付きの地図も知られている。
【０００３】
ユーザが、多くの地図の中から、自身が最も必要とする情報がどの地図に記載されているかを見付けることは、必ずしも容易ではない。従って、ユーザに最も適したオリジナル地図が作成できれば便利である。従来、オリジナル地図を作成するには、複数の地図データを合成し、或いは、元となる地図データに個別に必要な情報を追加で貼り付ける処理を行う必要があり、多くのコスト及び手間を必要とするという問題がある。また、オリジナル地図が出来上がったとしても、最新の情報に基づいて更新を行うには、やはり多くのコスト及び手間を必要とするため、必要な更新がいつまでもなされず、作成された地図がやがては陳腐化するという問題もある。更には、作成及び更新のためのコストや手間を考え、オリジナル地図を狭い範囲に特化させると、需要と供給の関係から、コストパフォーマンスが低いという問題もある。
【０００４】
上記従来技術の問題に鑑み、情報の作成及び更新の際に掛かるコスト及び手間を削減するため、インターネットを用いて地図情報を作成し提供する地図情報サービスシステムが提案されている。
【０００５】
特許文献１は、ＧＰＳ機能を有する携帯電話機が特定の位置に存在する際に、ＧＰＳ機能で得られた位置情報と共に、カメラ等で撮影された撮像画像をサーバに送信することにより、その撮像画像を位置情報に関連させてサーバに登録する地図情報サービスシステムを記載している。地図情報サービスシステムのサーバは、更に、ユーザの携帯電話機から、位置情報と共にサービス提供の要求を受信すると、その位置情報について登録された地図情報を携帯電話機に送信することで地図情報を提供する。
【特許文献１】特開２００４−３５７２２２号公報
【発明の開示】
【発明が解決しようとする課題】
【０００６】
上記インターネットを用いた地図情報サービスシステムでは、ユーザからの登録要求に基づいてサーバ上で特定の地図情報を作成するためには、ユーザがＧＰＳ機能を有する携帯電話機を有することが不可欠である。しかし、ＧＰＳ機能を有する携帯電話機はその数が限られているため、利用範囲が限定されるという問題がある。また、地図情報の登録要求を送信するためには、ユーザが実際にその場所に居る必要があり、地図情報を登録するユーザの居場所が限定されるという問題もあった。
【０００７】
更に、上記特許文献に記載の地図情報サービスシステムでは、収集した位置情報について、プライバシー等の問題でホームページ上で公開しても問題がない情報のみを公開することとしているので、作成する情報や公開できる情報が限定されるという問題もあった。
【０００８】
更に、作成したオリジナル地図情報をそれぞれ蓄積すると、登録する地図情報の記録容量が増大するという問題もあった。
【０００９】
本発明は、インターネットを用いた従来の地図情報サービスシステムが有する上記問題に鑑み、ＧＰＳ機能を有する携帯電話機を用いる必要がなく、また、情報登録者が実際にその場所に居なくとも、希望する地図情報が登録できる地図情報サービスシステムを提供することを目的とする。
【００１０】
本発明は、また、収集した情報が不特定の相手には公開できないようなプライバシーを含む情報であっても、その情報を特定のグループ内でのみ共有することにより、提供できる地図情報の範囲を拡大可能な地図情報サービスシステムを提供することを目的とする。
【００１１】
本発明は、更に、蓄積するオリジナル地図データの記憶容量の増大を抑制可能な地図情報サービスシステムを提供することを目的とする。
【課題を解決するための手段】
【００１２】
上記目的を達成するために、本発明の地図情報サービスシステムは、通信回線を介して端末装置に接続される地図情報サーバを備え、該地図情報サーバを介して地図情報を提供する地図情報サービスシステムであって、前記地図情報提供サーバは、
地図情報の登録を要求する端末装置から位置を指定した地図データの送信要求を受信すると、地図データを記憶するデータベースから、前記指定された位置に対応する所定範囲の地図データ部分を取り出して、当該端末装置に送信する地図データ切り出し部と、
前記地図情報の登録を要求する端末装置から、前記切り出された地図データ部分内の位置情報に関連付けられた付加情報データを受信すると、該受信した付加情報データを前記位置情報に関連付けて、前記データベースに登録する付加情報データ登録部と、
地図情報の提供を要求する端末装置から、前記位置情報を指定した地図情報の送信要求を受信すると、前記データベースを検索し、前記位置情報に関連付けて登録された付加情報データを取り出して、当該端末装置に送信する付加情報データ検索部とを備えることを特徴とする。
【００１３】
また、本発明の地図情報提供方法は、通信回線を介して端末装置に接続される地図情報サーバを備え、該地図情報提供サーバを介して地図情報を提供する地図情報提供方法であって、
前記地図情報提供サーバが、地図情報の登録を要求する端末装置から位置を指定した地図データの送信要求を受信し、地図データを記憶するデータベースから、前記指定された位置に対応する所定範囲の地図データ部分を取り出して、当該端末装置に送信するステップと、
前記地図情報提供サーバが、前記地図情報の登録を要求する端末装置から、前記切り出された地図データ部分内の位置情報に関連付けられた付加情報データを受信すると、該受信した付加情報データを前記位置情報に関連付けて、前記データベースに登録するステップと、
前記地図情報提供サーバが、地図情報の提供を要求する端末装置から、前記位置情報を指定した地図情報の送信要求を受信すると、前記データベースを検索し、前記位置情報に関連付けて登録された付加情報データを取り出して、当該端末装置に送信するステップとを有することを特徴とする。
【００１４】
更に、本発明のプログラムは、通信回線を介して端末装置に接続されて地図情報を提供する地図情報提供サーバを備える地図情報サービスシステムのためのプログラムであって、前記地図情報提供サーバに、
地図情報の登録を要求する端末装置から位置を指定した地図データの送信要求を受信し、地図データを記憶するデータベースから、前記指定された位置に対応する所定範囲の地図データ部分を取り出して、当該端末装置に送信するステップと、
前記地図情報の登録を要求する端末装置から、前記切り出された地図データ部分内の位置情報に関連付けられた付加情報データを受信すると、該受信した付加情報データを前記位置情報に関連付けて、前記データベースに登録するステップと、
地図情報の提供を要求する端末装置から、前記位置情報を指定した地図情報の送信要求を受信すると、前記データベースを検索し、前記位置情報に関連付けて登録された付加情報データを取り出して、当該端末装置に送信するステップとを実行させることを特徴とする。
【発明の効果】
【００１５】
本発明の地図情報サービスシステム、地図情報提供方法及びプログラムによると、地図情報提供サーバが、地図データから指定された地図データ部分を取り出して、端末装置に送信し、端末装置は、その地図データ部分に付加する付加情報データを地図データ内の位置情報に関連付けて入力すれば足りるので、特にＧＰＳ機能を有しない端末装置によっても容易に付加情報データの作成が可能であり、また、地図情報提供サーバは、端末装置から受信した付加情報データを地図データ部分内の位置情報に関連付けてデータベースに蓄積することで、地図データ部分及び付加情報データを一括にデータとして蓄積するのに比べて蓄積するデータ量の削減が可能になる。前記位置情報を指定して地図情報提供の要求があると、地図情報提供サーバは、地図データから、その指定した位置情報に関連付けて登録されている付加情報を検索して端末装置に送信することで、端末装置からの付加情報データを含む地図情報の提供要求に応えることができる。
【００１６】
前記位置情報としては、地図上の位置を指定する所定範囲内の経度及び緯度情報の他に、駅やテーマパーク、市役所などの施設名、地番、市町村名、県名の情報など、地図情報に記載された名称が挙げられる。このような位置情報を指定することで、地図上での検索が容易になる。
【００１７】
本発明の好ましい態様の地図情報サービスシステムでは、前記データベースに登録された地図情報データには、アクセスできるグループを指定するアクセス制限情報が付加されており、前記地図情報提供サーバは、端末装置から送信されたユーザの属性情報に基づいて、アクセスの可否を判定する。本態様を採用することにより、多種多様のユーザのニーズに応えつつ、不特定対数のユーザには提供できない情報であっても、指定された属性を有するユーザには提供が可能となる。
【００１８】
前記ユーザの属性情報は、特定のグループＩＤを含むことが好ましい。この場合、特定のグループ内で付加情報が共有されることで、よりユーザのニーズに合致した地図情報の提供が可能になり、また、グループで付加情報を改訂、更新することで、改訂、更新のコストや手間などの負担が軽減できる。
【００１９】
前記端末装置が、ＧＰＳ機能などの測位機能を有し、該測位機能により計測された位置情報に基づいて、要求する地図情報の位置を指定することも本発明の好ましい態様である。この場合には、登録の際に地図情報提供サーバから地図データ部分を切り出す処理が不要になり、サーバの負担が軽減できる。また、特定のグループ、例えば家族などが自身の位置情報などをＧＰＳ機能を用いてリアルタイムで地図情報提供サーバに登録することで、お互いの現在位置が把握でき、安全管理などに利用できる。
【発明を実施するための最良の形態】
【００２０】
以下、図面を参照し、本発明の最良の実施形態を説明する。図１は、本発明の第１の実施形態に係る地図情報サービスシステムをブロック図で示す。本システムは、測位システムを構成するＧＰＳサテライト３０と、携帯電話事業者が管理する携帯電話システム２０と、携帯電話事業者のネットワーク２３及びインターネットなどのネットワーク４０を介して、携帯電話システム２０内の携帯電話機（携帯端末）２１に接続される地図情報提供サーバ１０とを備える。
【００２１】
携帯電話システム２０は、多数のユーザが有する携帯電話機２１と、所定エリア毎に配設される基地局２２と、基地局２２に接続される携帯事業者内のネットワーク２３とを有する。携帯電話機２１の少なくとも一部は、ＧＰＳ機能を有し、自身の位置情報を生成及び送信可能である。地図情報サービスシステムは地図情報提供サーバ１０によって構成され、地図情報提供サーバ１０は、例えばインターネット４０を介して携帯事業者内のネットワーク２３と接続される。地図情報提供サーバ１０は、携帯電話機２１から付加情報を含む地図情報の登録要求を受信して、地図情報をデータベースに登録する機能と、携帯電話機２１から地図情報の提供要求を受け付けて、必要な地図情報をデータベースから取り出してユーザに提供する機能とを有する。
【００２２】
図２は、図１に示した、ＧＰＳ機能（位置情報生成機能）を有する携帯電話機２１の構成を機能ブロック図で示している。携帯電話機２１は、ＧＰＳサテライトＧ０、Ｇ１からＧＰＳ信号を受信して携帯電話機２１の位置情報を生成するＧＰＳ機能部５１と、地図上の付加データとして、静止画や動画である撮像画像を生成するカメラ部５２と、音声を入力するための音声入力部５３と、携帯電話機２１の制御や、文字入力を行うためのキー入力部５４と、基地局２２との通信を行うアンテナ部５５と、携帯電話機２１としての通信を行うための通信部５６と、各部を制御すると共に画像情報とその他の情報とを合成する制御部５７と、入力されたデータを一時保存するためのデータ蓄積部５８と、各種制御の状態や、地図情報を表示するための表示部５９と、音声を出力するための音声出力部６０とから構成される。
【００２３】
図３は、地図情報提供サーバ１０の構成を機能ブロック図で示している。地図情報提供サーバ１０は、インターネットなどのネットワーク４０と接続するためのネットワーク部１１と、携帯電話機２１から送信されてくる位置情報の登録などを制御し、また、地図情報の送信要求に応答して、地図情報の検索や、付加情報と地図情報の合成などを行う制御部１２と、軌跡データや地点データを作成するために必要なデータを一時的に蓄積するデータ蓄積部１３と、標準の地図データ（図形データ）が蓄積されている地図データ蓄積部１４と、軌跡データを蓄積するための軌跡データ蓄積部１５と、地点データを蓄積するための地点データ蓄積部１６と、軌跡データや地点データなどに添付される添付データを蓄積するための添付データ蓄積部１７とから構成される。軌跡データ、地点データ及び添付データが付加情報データとなり、地図データに付加されて地図情報が得られる。
【００２４】
図４は、地図情報提供サーバの各データ蓄積部１４〜１７に蓄積されるデータの構成を示している。地図データ蓄積部１４に蓄積される地図データは、地図情報提供者側が用意する地形データを含み、登録要求者の地形データの要求に応じてその一部が切り出され、登録要求者に送信される。地図データは、地図データの内容である地形データ、その地形データの作成日時、一部の地形データに修正があった場合に更新した日時を示す更新日時情報、地形データの各位置に関連付けされて登録されている付加情報データである、軌跡情報、地点情報及び添付データとの関連を示す付加データ登録情報などのデータから構成される。地図データは、その地形データの一部を切り出す際には、その部分の経度及び緯度のデータ、施設名、市町村名などのデータに加えて、地図上の地点を示すポインタが添付される。切り出された地図データは、地図データの送信を要求した携帯電話機２１に向けて送信される。
【００２５】
軌跡情報データ蓄積部１５に蓄積される軌跡情報は、携帯電話機２１が移動した地点を結んで作成される軌跡データを含み、更に、その軌跡データの作成者の情報と、ユーザの属性情報、例えば、ユーザが属するグループＩＤと、軌跡データの参照・作成に関する可否情報や、参照・作成が可能な人・グループを示すアクセス制限情報を構成するパーミッション情報と、携帯電話機２１の移動速度と、付加情報である添付データとの関連付けを示す付加データ登録情報とを含むデータから構成される。軌跡情報データは、登録要求者の要求に応じて、蓄積が開始され、携帯電話機２１内のＧＰＳ機能部５１で得られた位置情報が、リアルタイムに登録される。また、この軌跡情報は、例えばグループを構成する携帯電話機からの要求に応じてリアルタイムに提供される。
【００２６】
地点データ蓄積部１６に登録される地点データは、付加データの一部を構成する緯度及び経度情報を有する地点データを含み、更に、その地点データが作成された作成日時、地点データの作成者の情報、ユーザが属するグループを示すＩＤ情報、その地点において軌跡データの参照・作成に関する可否情報や参照・作成が可能な人・グループを示すパーミッション情報、添付データとの関連付けを示す付加データ登録情報とを含むデータから構成される。地点データは、例えばグループを構成する携帯電話機からの要求に応じてリアルタイムに提供される。
【００２７】
添付データ蓄積部１７に登録される添付データは、文字、静止画、音声、動画などのデータから構成される添付データ本体と、その添付データ本体の作成日時、作成者、属するグループの情報、参照・作成可否を示すパーミッション情報とから構成される。添付データは、地図データの他に、地点データや軌跡情報などに関連付けられていてもよい。以下、本実施形態の地図情報提供サービスシステムの動作について説明する。
【００２８】
図１において、例えばユーザＰ０が保持している携帯電話機Ａ０（２１）は、軌跡情報登録要求を地図情報提供サーバ１０に送信する。地図情報提供サーバ１０は、その要求に応答して軌跡データ登録許可情報を送信する。携帯電話機Ａ０のＧＰＳ機能部５１は、ＧＰＳサテライトＧ０、Ｇ１からＧＰＳ信号を逐次受信して、位置情報を生成する。生成された位置情報は、通信部５６から、アンテナ５５、基地局２２、携帯事業者内のネットワーク２３、及び、ネットワーク４０を経由して、地図情報提供サーバ１０に送信される。地図情報提供サーバ１０の制御部１２は、送信された位置データに基づいて、軌跡データを逐次生成し、データ蓄積部１３を経由して軌跡データ蓄積部１５に保存する。軌跡データが蓄積されると、その軌跡データが蓄積された旨の付加データ登録情報が、地図データ蓄積部１４内の地図データの当該位置情報に関連付けて登録される。
【００２９】
ユーザＰ０は、登録したい場所に居る際に、携帯電話機Ａ０から地点登録要求を送信する。携帯電話機Ａ０のＧＰＳ機能部５１は、地図情報提供サーバ１０から登録要求を許可する旨を受信すると、生成した位置情報を、基地局２２を経由して携帯事業者内のネットワーク２３、ネットワーク４０を経由して地図情報提供サーバ１０に送信する。送信された位置データは、データ蓄積部１３を経由して地点データ蓄積部１６内に、地点データとして保存される。地点データが登録された旨の付加データ登録情報が、地図データ蓄積部内の地図データの当該位置情報に関連付けて登録される。
【００３０】
ユーザＰ０が、位置情報に関連付けて、文字や、静止画、音声、動画などのデータを付加することを希望する際には、携帯電話機Ａ０で、文字の入力、静止画、動画の撮影、音声の入力を行い、表示された地図データ内の位置情報と関連付けて送信する。位置情報は、ＧＰＳ機能によって得られる情報でもよく、或いは、地図上でポインタを利用して指定してもよい。この情報は、基地局２２を経由して、携帯事業者内のネットワーク２３、ネットワーク４０を経由して地図情報提供サーバ１０に送信される。送信された文字、静止画、音声、動画などのデータと、位置データとは、付加情報登録データ内に関連付けてそれぞれの蓄積部に保存される。
【００３１】
ユーザＰ０は、現地に居なくともオリジナル地図情報を登録可能である。まず、ユーザＰ０は、保有する携帯電話機Ａ０を利用し、基地局２２、事業者内ネットワーク２３、及び、ネットワーク４０を介して、地図情報提供サーバ１０に表示したい位置の地図データの送信を要求する。要求の内容は、地図上で表示したい駅や公共施設、テーマパーク等のランドマーク、表示したい場所の位置情報、地図の縮尺、及び、携帯電話機Ａ０の属するグループの情報などを含む。地図情報提供サーバ１０は、携帯電話機Ａ０に対する参照可否を示すパーミション情報に基づいて、地図データから、表示可能な地図データを切り出し、携帯電話機Ａ０に向けて送信する。
【００３２】
図２において、携帯電話機Ａ０は、送られてきた地図データをアンテナ部５５で受信し、通信部５６、及び、制御部５７を介して、データ蓄積部５８に保存する。データ蓄積部５８に保存された地図データは表示部５９で表示される。ユーザは、表示部５９上でポインタを操作して、表示したい位置にポインタを置いて、そのポインタの座標又は施設名などに関連させて、地図データに付加したい情報を入力する。入力する情報には、文字、静止画、音声、動画などが含まれる。また、予め用意されているマークなどでもよい。所望の情報をオリジナル地図データ上に付加することで作成されたオリジナル地図情報は、ユーザのグループＩＤと共に地図情報提供サーバ１０に送信され、所定のデータ蓄積部に、地図データに関連付けて登録される。
【００３３】
ユーザは、地図データに関連付けて登録されている軌跡データや地点データ、及び、添付データを、自身の携帯電話機を通して閲覧可能である。要求に際して、携帯電話機Ａ０からは、自身のグループＩＤ、指定する位置情報、及び、要求する情報内容を指定したオリジナル地図情報の送信要求が出される。地図情報提供サーバ１０は、この要求を受信すると、位置情報で指定された地図データを所定の縮尺で切り出し、また、この地図データ内の位置情報に関連して登録された付加データ登録情報を引き出す。次いで、付加データ登録情報に基づいて、各蓄積部１５〜１７に登録された情報の内で、今回要求された情報内容の付加情報データを取り出す。更に、この取り出した付加情報データを、先に切り出した地図データに付加して、オリジナル地図を復元する。復元されたオリジナル地図は、要求を送信した携帯電話機２１に送信され、アンテナ部５５、通信部５６、制御部５７を介して、データ蓄積部５８に保存される。制御部５７は、保存された付加情報データの内で、文字データ、静止画、動画を表示部５９で表示し、音声データを音声出力部６０で再生するように制御する。
【００３４】
オリジナル地図は、情報の内容に応じて、不特定多数のユーザに提供され、又は、許可された特定のグループで共有され、或いは、作成した特定の個人にのみ提供される。更には、作成した特定の個人に許可を受けた特定のグループに例えば有償で提供されてもよい。オリジナル地図の作成は、特定の許可された個人にのみ認めることで、質の高いオリジナル地図の提供が可能になる。また、地点データは、情報を作成した個人のみが更新可能である。地図の表示が可能となる携帯電話機は、地点データ、軌跡データに付加されたパーミション情報、グループ情報により制限される。この場合、地点データや軌跡データの日時などにより、表示するデータを変更することが可能である。また、グループ内のユーザのレベル毎にパーミッション情報が異なるようにも設定できる。
【００３５】
上記実施形態に係る地図情報サービスシステムによると、地図を使用する人の用途にあったオリジナル地図の作成が容易になる。また、同一の趣味や目的を持つコミュニティー（家族、趣味仲間、学校、友達、地域社会）でオリジナルの地図を共同して作成することで、情報の充実を図ることが容易になる。この場合、作成者が多人数になることで、各コミュニティーに特化した地図を作成することが、特に容易となる。ＧＰＳ機能を有する携帯電話機を用いて、地点データや軌跡データ、添付情報を逐次追加していくことで、容易にオリジナル地図を作成することが可能となる。
【００３６】
本発明の地図情報サービスシステムは、例えば、“おいしいお店マップ”や、“秋葉原PCショップマップ”といった、その地域や趣味趣向が同一なコミュニティーによるオリジナル地図の作成に特に好適に利用できる。また、オリジナル地図上に軌跡データを表示することで、特定人物の行動地図を作成することが可能である。例えば、家族でオリジナル地図を共有することにより、子供が今どこにいるのか、どのように行動していたかを把握することが可能となる。
【００３７】
また、ある場所に用件がある場合に、その場所の地点データと軌跡データとにより、近くにいる人に用件の依頼をすることが出来る。この場合には、依頼を受けた人も、自分がまったく知らない場所であっても、オリジナル地図を参照することで、効率よく用件を済ませることが可能となる。
【００３８】
図５は、本発明の第２の実施形態に係る地図情報サービスシステムで、携帯電話機上に表示される画像の内容を示している。同図では、地点データはβで示され、β０はユーザの自宅、β１は学校、β２はＢ店、β３はＣ店、β４は会社を示す。α（α０、α１）はユーザＰ０、Ｐ１の軌跡データであり、ユーザＰ０の現在地は地点データβ２のＢ店である。α２はユーザＰ１の軌跡データであり、ユーザＰ１の現在地はβ４の会社である。β０の自宅に居るユーザＰ２は、Ｂ店に用件があったとき、すぐにユーザＰ０に連絡をとり、用件を伝える。ユーザＰ０は、オリジナル地図を参照することで、ユーザＰ０が全く知らない場所であっても、建物の画像を画面上で確認することが出来る。このため、ユーザＰ０は、効率よく目的地に行くことが可能となる。
【００３９】
上記のように、ＧＰＳ受信機能を持たない端末を持つユーザや、ＧＰＳサテライトからの位置情報が受信できない位置に居るユーザであっても、位置情報や軌跡データを地図データと組み合わせることで、地図データの作成が可能である。
【００４０】
以上、本発明をその好適な実施態様に基づいて説明したが、本発明の地図情報サービスシステム、地図情報提供方法及びプログラムは、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【図面の簡単な説明】
【００４１】
【図１】本発明の第１の実施形態に係る地図情報サービスシステムのブロック図。
【図２】図１の携帯電話機の構成を示すブロック図。
【図３】図１の地図情報提供サーバの構成を示すブロック図。
【図４】各蓄積部に蓄積されるデータの内容を示すリスト。
【図５】第２の実施形態に係る地図情報サービスシステムにおいて、携帯電話機上でのオリジナル地図の表示内容を示すイメージ図。
【符号の説明】
【００４２】
１０：地図情報提供サーバ
１１：ネットワーク部
１２：制御部
１３：データ蓄積部
１４：地図データ蓄積部
１５：軌跡データ蓄積部
１６：地点データ蓄積部
１７：添付データ蓄積部
２０：携帯電話システム
２１：携帯電話機（携帯端末）
２２：基地局
２３：携帯事業者ネットワーク
３０：ＧＰＳサテライト
４０：ネットワーク（インターネット）
５１：ＧＰＳ機能部
５２：カメラ部
５３：音声入力部
５４：キー入力部
５５：アンテナ部
５６：通信部
５７：制御部
５８：データ蓄積部
５９：表示部
６０：音声出力部
【図１】
2007158815.tif 000003
【図２】
2007158815.tif 000004
【図３】
2007158815.tif 000005
【図４】
2007158815.tif 000006
【図５】
2007158815.tif 000007